(57)【要約】【課題】精算業務における硬貨の計数作業において、硬貨入出金装置とは別の専用の装置を用いる必要がなく、かつ、店員の負担を軽減することができるようにする。【解決手段】入金された硬貨Ｃを金種別に選別し、選別した硬貨Ｃを金種別に収納し、収納した硬貨Ｃを払い出す硬貨入出金装置において、硬貨Ｃの一括払出を宣言する宣言手段を設け、宣言手段によって硬貨の一括払出が宣言された場合、収納されている全ての硬貨Ｃを払い出し、このとき、硬貨Ｃの数を金種毎に計数する（ステップＳ１）。そして、その計数した結果に係わる計数データを出力する（ステップＳ３）。【選択図】    図９
2004206160.tif 000002
【特許請求の範囲】
【請求項１】
入金された硬貨を金種別に選別収納し、収納した硬貨を払い出す硬貨入出金装置において、
硬貨の一括払出を宣言する宣言手段と、
前記宣言手段によって硬貨の一括払出が宣言された場合、収納されている全ての硬貨を払い出させる一括払出手段と、
前記一括払出手段によって払い出される硬貨の数を金種毎に計数する計数手段と、
前記計数手段が計数した結果に係わる計数データを出力する第一の出力手段と、
を備えることを特徴とする硬貨入出金装置。
【請求項２】
前記一括払出手段によって払い出された硬貨の合計金額を前記計数手段が計数した金種毎の硬貨の数に基づいて取得する合計金額取得手段を備え、
前記計数データは、前記合計金額取得手段が取得した硬貨の前記合計金額を含むことを特徴とする請求項１記載の硬貨入出金装置。
【請求項３】
前記第一の出力手段は、前記計数データをプリンタに送信し、前記計数データを前記プリンタによって用紙に印字出力させる請求項１又は２記載の硬貨入出金装置。
【請求項４】
商品の取引に係わる売上処理を実行しその取引に係わるレシートをレシートプリンタによって発行する商品販売データ処理装置と、入金された硬貨を金種別に選別収納し、収納した硬貨を前記商品販売データ処理装置からの払い出し指令に基づいて払い出す硬貨入出金装置と、を備える硬貨入出金システムにおいて、
硬貨の一括払出を宣言する宣言手段と、
前記宣言手段によって硬貨の一括払出が宣言された場合、前記硬貨入出金装置に収納されている全ての硬貨を払い出させる一括払出手段と、
前記一括払出手段によって払い出される硬貨の数を金種毎に計数する計数手段と、
前記計数手段が計数した結果に係わる計数データを出力する第二の出力手段と、
を備えることを特徴とする硬貨入出金システム。
【請求項５】
前記一括払出手段によって払い出された硬貨の合計金額を前記計数手段が計数した金種毎の硬貨の数に基づいて取得する合計金額取得手段を備え、
前記計数データは、前記合計金額取得手段が取得した硬貨の前記合計金額を含むことを特徴とする請求項４記載の硬貨入出金システム。
【請求項６】
前記第二の出力手段は、前記計数データを前記レシートプリンタに送信し、前記計数データを前記レシートプリンタによって用紙に印字出力させることを特徴とする請求項４又は５記載の硬貨入出金システム。
【発明の詳細な説明】
【０００１】
【発明の属する技術分野】
本発明は、硬貨入出金装置及び硬貨入出金システムに関する。
【０００２】
【従来の技術】
従来、商品販売データ処理装置であるＰＯＳ(Point Of Sales)端末やＥＣＲ(Electronic Cash Register)などに紙幣ドロワなどとともに接続され、店舗での商品の取引の際の硬貨の入金及び払出処理を行なう硬貨入出金装置がある。
【０００３】
このような硬貨入出金装置は、硬貨投入口から入金された１円，５円，１０円，５０円，１００円，５００円などの硬貨を選別して、選別した硬貨を金種毎に硬貨収納部に収納し、ＰＯＳ端末やＥＣＲからの釣り銭の払い出し指令により、硬貨収納部内の硬貨を釣り銭分だけ硬貨払出口に払い出すようにしている。
【０００４】
ところで、店舗などでは、例えば、一日の商品取引業務が終了した後、その日の精算業務を行なうために、紙幣ドロワに収納されている全ての紙幣及び硬貨入出金装置内に収納されている全ての硬貨を回収して、それらの貨幣の数量を最終的に計数してそれらの貨幣の合計金額を求め、求めた合計金額とＰＯＳ端末やＥＣＲが有している売上データとを比較して違算があるかどうかを確認している。
【０００５】
店員が硬貨入出金装置内に収納されている硬貨の合計金額を求める際には、まず、硬貨入出金装置内に収納されている全ての硬貨を一括回収する。ここで、硬貨入出金装置には、硬貨入出金装置内に収納されている硬貨を一括して全て払い出す一括払い出し機能を有しているものがある（例えば、特許文献１）。そして、店員は、このような一括払い出し機能を用いて硬貨入出金装置に全ての硬貨を払い出させ、その硬貨を回収する。店員は、回収した硬貨を手作業で計数したり、硬貨を計数する硬貨計数装置に計数させたりして、収納されていた硬貨の枚数を得て、その枚数から硬貨入出金装置内に収納されていた硬貨の合計金額を得ている。
【０００６】
【特許文献１】
特開２００１−２９７３５１公報
【０００７】
【発明が解決しようとする課題】
しかしながら、このような硬貨入出金装置では、硬貨を一括回収した後に、その回収した硬貨を店員の手作業で計数したり、専用の硬貨計数装置に計数させたりしなければならず、店員が手作業で計数する場合には店員にとって手間が掛かってしまうという問題が有り、専用の硬貨計数装置を用いる場合にはその専用の硬貨計数装置を購入する費用がかかってしまうという問題や、その硬貨計数装置を店内に設置するための設置スペースが硬貨入出金装置の設置スペースとは別に必要となってしまうという問題がある。
【０００８】
本発明の目的は、精算業務における硬貨の計数作業において、硬貨入出金装置とは別の専用の装置を用いる必要がなく、かつ、店員の負担を軽減することができる硬貨入出金装置及び硬貨入出金システムを得ることである。
【０００９】
【課題を解決するための手段】
本発明は、入金された硬貨を金種別に選別し、選別した硬貨を金種別に収納し、収納した硬貨を払い出す硬貨入出金装置において、硬貨の一括払出を宣言する宣言手段と、前記宣言手段によって硬貨の一括払出が宣言された場合、収納されている全ての硬貨を払い出させる一括払出手段と、前記一括払出手段によって払い出される硬貨の数を金種毎に計数する計数手段と、前記計数手段が計数した結果に係わる計数データ（前記計数手段が計数した金種毎の硬貨の数、又は、前記計数手段が計数した金種毎の硬貨の数に基づいたそれらの硬貨の合計金額）を出力する第一の出力手段と、を備える。
【００１０】
したがって、宣言手段によって硬貨の一括払出が宣言された場合、収納されている全ての硬貨が一括払い出し手段によって払い出され、このとき、計数手段によって硬貨の数が計数され、その計数結果に係わる計数データ（前記計数手段が計数した金種毎の硬貨の数、又は、前記計数手段が計数した金種毎の硬貨の数に基づいたそれらの硬貨の合計金額）が第一の出力手段によって出力される。
【００１１】
【発明の実施の形態】
本発明の第一の実施の形態を図１ないし図１１に基づいて説明する。本実施の形態は、商品の売上処理を実行する商品販売データ処理装置であるＰＯＳ端末（図示せず）に接続して使用される硬貨入出金装置への適用例である。
【００１２】
ここで、図１は本実施の形態の硬貨入出金装置をプリンタとともに示す斜視図、図２は回収袋が装置本体に取り付けられた状態の硬貨入出金装置を示す斜視図、図３は設置台上に設置され入出金機構ユニットがユニット保持ケースから引き出された状態の硬貨入出金装置を示す側面図である。
【００１３】
図１に示すように、本実施の形態の硬貨入出金装置１には、プリンタＰが接続されている。この硬貨入出金装置１は、概略的には、硬貨Ｃ（図５参照）の入金及び払い出し処理を行なうものであり、内部に収納している全ての硬貨Ｃを一括して払い出す場合には、払い出す硬貨Ｃの数を計数し、その計数結果に基づく計数データ（金種毎の硬貨Ｃの枚数やそれらの硬貨Ｃの合計金額）をプリンタＰによって印字出力させるものである。
【００１４】
以下に、硬貨入出金装置１について詳しく説明する。
【００１５】
硬貨入出金装置１は、図１ないし図３に示すように、その概略構造として、硬貨Ｃの入金及び払い出し処理を行なう入出金機構ユニット２ａがユニット保持ケース２ｂに引き出し及び収納自在に保持されて構成される装置本体２と、この装置本体２の入出金機構ユニット２ａに着脱自在に取り付けられる回収体である回収袋１０１とから構成されている。
【００１６】
入出金機構ユニット２ａは、スライドレール機構２ｃによってユニット保持ケース２ｂに対して引き出し及び収納自在に保持されており、その引き出し方向は装置手前側である。
【００１７】
回収袋１０１は、装置本体２に収納されている全ての硬貨Ｃを収納可能な上面開口の袋部１０２と、この袋部１０２の上端を支持するフレーム枠１０３とから構成されている。フレーム枠１０３には取っ手１０４が設けられている。
【００１８】
次に入出金機構ユニット２ａについて図１、図４、図５及び図６に基づいて詳しく説明する。ここで、図４は入出金機構ユニット２ａの内部構造を示す平面図、図５は入出金機構ユニット２ａの内部構造を示す縦断側面図、図６は回収袋１０１が取付部に取り付けられた状態の入出金機構ユニット２ａの内部構造を示す縦断側面図である。
【００１９】
図１及び図４に示すように、入出金機構ユニット２ａのハウジング２ｄの右側手前には、上面が開口され硬貨Ｃが一括して投入される硬貨投入口３が設けられ、ハウジング２ｄの左側手前には、上面が開口され硬貨Ｃが払い出される硬貨払出口４が設けられ、この硬貨払出口４の下のハウジング２ｄには、回収袋１０１を着脱自在に保持する回収袋取付部５が設けられている。このハウジング２ｄには、硬貨投入口３から投入された硬貨Ｃを選別収納しＰＯＳ端末からの払い出し指令に応じて硬貨Ｃを硬貨払出口４に払い出す硬貨入出金機構Ａが設けられている。
【００２０】
硬貨投入口３には、光電的に硬貨Ｃの有無を検出する複数組の投入センサ６が設けられている。
【００２１】
回収袋取付部５には、装置手前側から装置奥側へ向かって形成された一対のレール５ａ，５ｂが形成されている。これらのレール５ａ，５ｂが回収袋１０１のフレーム枠１０３の両側部を両側から挟み込んで装置前後方向にスライド移動自在に支持する。
【００２２】
硬貨入出金機構Ａは、硬貨Ｃを選別して落下させる硬貨選別部７、硬貨選別部７の下方に配置され硬貨選別部７により落下された硬貨Ｃを金種毎に収納する硬貨収納部８、硬貨投入口３に投入された硬貨Ｃを硬貨選別部７へ搬送する硬貨搬送部９、硬貨収納部８に収納された硬貨Ｃを硬貨払出口４に払い出す硬貨払出搬送部１０などから構成されている。
【００２３】
硬貨搬送部９は、図４に示すように、硬貨投入口３の底から硬貨収納部８よりも高い位置に硬貨Ｃを搬送する第一の硬貨搬送部１１、第一の硬貨搬送部１１によって搬送された硬貨Ｃを硬貨選別部７へ搬送する第二の硬貨搬送部１２から構成されている。
【００２４】
第一の硬貨搬送部１１には、硬貨投入口３の底を搬送面１３によって形成しモータＭ（図７参照）に連結されて、硬貨投入口３に投入された搬送面１３上の硬貨Ｃを装置の奥へ搬送する入金搬送ベルト１４が設けられている。ここで、搬送面１３によって搬送路２０が形成されている。
【００２５】
この入金搬送ベルト１４上には、硬貨投入口３の一端に位置させて不規則に投入された硬貨Ｃを一枚ずつ送り出すための投入口ローラ２１が設けられている。
【００２６】
入金搬送ベルト１４の終端部分には、搬送方向を略直角に屈曲する硬貨案内部２２が設けられ、この入金搬送ベルト１４の終端部分に、第二の硬貨搬送部１２が連設されている。
【００２７】
第二の硬貨搬送部１２は、硬貨入出金装置１の幅方向に略平行に設けられ、硬貨案内部２２によって搬送方向が略直角に屈曲された硬貨Ｃを硬貨選別部７に搬送する。第二の硬貨搬送部１２には、硬貨Ｃを底板２３の水平な搬送面２３ａに圧接させて硬貨選別部７へ搬送する搬送ベルト２４が設けられている。この搬送面２３ａは、搬送路２５を形成している。
【００２８】
搬送ベルト２４は、エンドレスベルトであって、駆動ローラ２６と従動ローラ２７とに掛け渡されて設けられ、駆動ローラ２６に連結されたモータＭ（図７参照）により駆動される。そして、搬送ベルト２４は、硬貨入出金装置１が水平に設置された状態で、図示しない付勢部材により下方に向けて付勢されている。これにより、搬送ベルト２４は、搬送面２３ａ上の硬貨Ｃを押圧し、硬貨Ｃを搬送面２３ａに圧接させる。
【００２９】
なお、底板２３には、基準面２８が設けられている。この基準面２８は、搬送路２５を搬送される硬貨Ｃの側面を支持して、硬貨選別部７の後述する選別穴２９から硬貨Ｃを正しく落下させる為に必要な硬貨Ｃの搬送基準を得る為の硬貨案内面５４である。このような第二の硬貨搬送部１２の搬送ベルト２４の下方に、硬貨選別部７が設けられている。
【００３０】
硬貨選別部７を構成する底板２３には、搬送ベルト２４に沿わせて、即ち、搬送路２５に沿わせて順次穴幅寸法が拡大する金種毎の選別穴２９が形成されており、この選別穴２９により硬貨Ｃを金種別に選別する。
【００３１】
選別穴２９は、図２において右から１円・５０円・５円・１００円・１０円・５００円のそれぞれの金種に対応するように６個設けられている。本実施の形態では、硬貨搬送方向で隣り合う選別穴２９同士はそれぞれ連続して形成されており、外見上、一つの穴を形成している。硬貨選別部７は、硬貨Ｃが搬送されて、所定の外径の選別穴２９に到達した際に、金種毎に硬貨収納部８に落下させる。
【００３２】
このような選別穴２９には、図５に示すように、選別穴２９から落下する硬貨Ｃを硬貨収納部８の内部の奥側に案内する傾斜ガイド３０が設けられている。そして、各選別穴２９には、金種毎に計数センサ３１が設けられており、金種毎に硬貨Ｃの枚数がカウントされる。
【００３３】
次に、硬貨収納部８、硬貨払出搬送部１０などについて説明する。
【００３４】
図４及び図５に示すように、硬貨収納部８は、仕切板３２により仕切られ、これにより、選別穴２９のそれぞれに連通された上方開口の硬貨収納部８ａ〜８ｆが並列に形成されている。
【００３５】
この硬貨収納部８ａ〜８ｆのそれぞれの底部には、硬貨払出搬送部１０が設けられている。
【００３６】
硬貨払出搬送部１０には、図５に示すように、駆動ローラ３３と従動ローラ３４とに掛け渡されたエンドレスベルトである払出ベルト３５が設けられている。この払出ベルト３５は、駆動ローラ３３に連結されたモータＭ（図７参照）によって駆動され、搬送面３５ａ上の硬貨Ｃを硬貨払出口４へ向けて搬送する。ここで、搬送面３５ａは硬貨収納部８の奥側から硬貨払出口４近傍に至る搬送路３５ｂを形成している。
【００３７】
硬貨収納部８の出口部には、硬貨Ｃを一枚毎に分離する分離ローラ３６が、払出ベルト３５に対して硬貨Ｃ一枚が通過し得る間隔を隔てて配設され、かつ、全ての金種の出口部をそれらの金種毎に横断するように配設されている。この分離ローラはモータＭにより払出ベルト３５とは逆回転駆動されることにより、この分離ローラ３６に接触した硬貨Ｃを回転方向に払いのける。
【００３８】
さらに、硬貨収納部８の出口部には、硬貨Ｃの搬送所定枚数の硬貨Ｃを一列に整列させて、待機させる硬貨待機部３７が金種毎に設けられている。
【００３９】
各硬貨待機部３７には、シャッタソレノイド３８に連結され、それぞれ金種別に搬送路３５ｂ上を搬送される硬貨Ｃを一時的に停止させるとともに必要枚数の硬貨Ｃを送り出すような開閉動作制御がなされる硬貨シャッタ３９がそれぞれ設けられている。
【００４０】
硬貨シャッタ３９の直後には、金種毎に払い出された硬貨Ｃの枚数を計数する光センサである払出センサ４０や、硬貨Ｃの材質を検出するための発振コイルである材質センサ４１がそれぞれ設けられている。
【００４１】
払出ベルト３５の終端部分には、図５及び図６に示すように、払出ベルト３５の終端まで搬送され払出ベルト３５から落下する硬貨Ｃの落下経路を払出経路５１（図５参照）又は回収経路５２（図６参照）に切り替える経路切替機構５３が設けられている。払出経路５１は、図５に示すように、回収袋１０１が装置本体２に取り付けられていない場合に設定され硬貨Ｃを硬貨払出口４へ案内する経路である。回収経路５２は、図６に示すように、回収袋１０１が装置本体２に取り付けられた場合に設定され硬貨Ｃを回収袋１０１に落下させる経路である。
【００４２】
経路切替機構５３は、払出経路５１を形成する硬貨案内面５４と回収経路５２を形成する硬貨案内孔５５とが設けられ支軸５６により回転自在に支持された経路切替部材５７を備えている。硬貨案内面５４と硬貨案内孔５５とのそれぞれの横幅は、硬貨収納部８の横幅以上に設定されている。硬貨案内孔５５は、硬貨Ｃが落下可能な大きさに形成されている。
【００４３】
この経路切替部材５７は、引っ張りバネとして機能する第一の付勢部材であるコイルバネ５８の付勢力により、装置右側からみて支軸５６を中心として時計回り方向に回転するように引っ張られている。そして、経路切替部材５７は、ストッパピン５９によりその時計回りの回転を阻止され払出位置（図５参照）に位置決めされる。このとき、経路切替部材５７は、硬貨案内面５４が払出ベルト３５の終端部に連設された状態となり、これにより、落下経路が払出経路５１に設定される。
【００４４】
この状態で、回収袋１０１が回収袋取付部５に取り付けられる際には、支軸５６よりも下側に位置する経路切替部材５７の下端部が回収袋取付部５のレール５ａ，５ｂに沿ってスライド移動する回収袋１０１のフレーム枠１０３に押され、その力により経路切替部材５７は、コイルバネ５８の付勢力に抗して支軸５６を中心として反時計回りに回転する。そして、最終的に、経路切替部材５７はストッパピン６０によりその反時計回りの回転を阻止される。このとき、回収袋１０１は、回収袋取付部５との間の摩擦力によりコイルバネ５８の付勢力に抗して位置保持されており、経路切替部材５７は、回収位置（図６参照）に位置決めされる。この状態で、硬貨案内孔５５が払出ベルト３５の終端部に連設された状態となり、これにより、落下経路が回収経路５２に設定される。ここで、この状態から、回収袋１０１が回収袋取付部５から取り外されることにより、経路切替部材５７は、コイルバネ５８の付勢力により払出位置に復帰する。
【００４５】
この経路切替部材５７の装置奥側には、経路切替部材５７に押されることによりこの経路切替部材５７の位置を検出するマイクロスイッチ６１が設けられている。このマイクロスイッチ６１は、経路切替部材５７が払出位置に位置しているときには、経路切替部材５７とは接触しない位置であって、経路切替部材５７が回収位置に位置しているときに経路切替部材５７に押される位置に位置付けられている。
【００４６】
そして、払出ベルト３５から金種別に落下した硬貨Ｃが経路切替部材５７の硬貨案内面５４に沿って落下する位置であって、ハウジング２ｄの左側手前に、硬貨払出口４が配置されている。また、図１に示すように、硬貨払出口４の上方には、表示器６２、回収キー６３ａ、終了キー６３ｂなどの各種の操作キー６３が設けられている。回収キー６３ａは、押下されることにより硬貨Ｃの一括払出を宣言する宣言信号を出力し、これにより、硬貨Ｃの一括払出を宣言する宣言手段として機能する。
【００４７】
次に、硬貨入出金装置１に内蔵される各部の電気的接続について図７を参照して説明する。硬貨入出金装置１は、各部の制御を受け持つ制御部６４を備え、この制御部６４に、データ通信を司るインターフェース（Ｉ／Ｆ）６５ａを介してＰＯＳ端末が接続され、データ通信を司るインターフェース（Ｉ／Ｆ）６５ｂを介してプリンタＰが接続されている。制御部６４は、各部を集中的に制御するＣＰＵ（Central Processing Unit）６４ａ、ＣＰＵ６４ａを動作させる制御プログラム等の固定的データを予め格納するＲＯＭ（Read Only Memory）６４ｂ、金種別の硬貨Ｃの枚数等の可変的なデータを書換え自在に格納するＲＡＭ（RandomAccess Memory）６４ｃ等により構成されている。また、制御部６４には、表示器６２や操作キー６３も接続されている。操作キー６３のうちの回収キー６３ａは、前述した宣言信号を制御部６４に入力する。
【００４８】
さらに、制御部６４には、投入センサ６、計数センサ３１、払出センサ４０、材質センサ４１等のセンサ類６６、シャッタソレノイド３８、各モータＭ、マイクロスイッチ６１等が接続されている。ここで、投入センサ６、計数センサ３１、払出センサ４０、材質センサ４１等のセンサ類６６は、例えば硬貨Ｃを光学的に検出した信号やコイルの電圧の変動等を制御部６４に入力するものであり、この検出信号に基づいて制御部６４が各モータＭを駆動制御する。また、マイクロスイッチ６１は経路切替部材５７に押されることにより検出信号を制御部６４に入力する。また、シャッタソレノイド３８は、制御部６４から出力される信号に基づき駆動制御され、通電（ＯＮ）されることで硬貨シャッタ３９を払出ベルト３５から離反する方向に変位させ、指定された枚数だけ硬貨Ｃを払い出す。なお、シャッタソレノイド３８は、ここでは１つしか図示しないが、実際には各金種毎に個々に制御部６４によって制御される。
【００４９】
次いで、プリンタＰについて説明する。ここで、図８はプリンタＰに内蔵される各部の電気的接続を示すブロック図である。図８に示すように、プリンタＰには、長尺状の用紙を搬送する搬送部７１、用紙に所定事項を印字する印字部７２、印字後の用紙を切断するカッタ部７３などが設けられている。
【００５０】
そして、このプリンタＰには、制御部７４が備えられており、この制御部７４が各部を駆動制御する。制御部７４は、各部を集中的に制御するＣＰＵ７５、ＣＰＵ７５を動作させる制御プログラムなどの固定的情報を予め格納するＲＯＭ７６、各種情報を書き換え自在に格納するワークエリアとして機能するＲＡＭ７７等により構成されている。この制御部７４には、搬送部７１、印字部７２、カッタ部７３が接続されている。さらに、この制御部７４には、硬貨入出金装置１とのデータ通信を司るインターフェース（Ｉ／Ｆ）７８が接続されている。
【００５１】
このような構成において、回収袋１０１が装置本体２の回収袋取付部５に取り付けられていない状態で、硬貨Ｃが硬貨投入口３に投入されると、投入センサ６がその硬貨Ｃを検出し、この検出信号により入金搬送ベルト１４、投入口ローラ２１、搬送ベルト２４が駆動される。そして、硬貨投入口３に投入された硬貨Ｃは、入金搬送ベルト１４と投入口ローラ２１との間で１枚ずつ分離されて搬送される。入金搬送ベルト１４により搬送される硬貨Ｃは、硬貨案内部２２によって搬送方向が略直角に屈曲され、入金搬送ベルト１４から搬送ベルト２４に受け渡され、硬貨選別部７で金種毎の選別がなされる。すなわち、硬貨Ｃは、金種に応じて選別穴２９から落下し、硬貨収納部８ａ〜８ｆに金種別に収納される。そして、選別穴２９から落下した硬貨Ｃは、計数センサ３１によりその数がカウントされる。
【００５２】
また、硬貨待機部３７に硬貨Ｃがない場合には、払出ベルト３５が駆動されて硬貨待機部３７に所定枚数（例えば４枚）の硬貨Ｃが常に存在するように動作制御がなされる。
【００５３】
ついで、ＰＯＳ端末において締め処理がなされ、ＰＯＳ端末より硬貨Ｃの払出命令があった場合には、払出ベルト３５が駆動されるとともに、金種毎に硬貨シャッタ３９がシャッタソレノイド３８によって駆動されるため、必要枚数の硬貨Ｃが送り出される。このとき、回収袋１０１が装置本体２に取り付けられていないので、経路切替部材５７は払出位置に位置付けられており落下経路が払出経路５１に設定されていることにより、払出ベルト３５により送り出された硬貨Ｃは、硬貨案内面５４に案内されて硬貨払出口４に払い出される。
【００５４】
次に、オペレータが精算業務において行なう装置本体２に収納されている全硬貨Ｃの一括回収作業の手順を説明する。まず、オペレータは、回収袋１０１を装置本体２の回収袋取付部５に差し込んで回収袋１０１を装置本体２の回収袋取付部５に取付ける。そして、装置本体２により後述する硬貨Ｃの一括払出／計数処理がなされ、硬貨Ｃが回収袋１０１に払い出される。オペレータは、装置本体２に収納されていた全硬貨Ｃを収納した回収袋１０１を装置本体２から取り外し硬貨Ｃを回収する。
【００５５】
このような硬貨Ｃの一括回収作業の際に、硬貨入出金装置１の制御部６４が行なう硬貨Ｃの一括払出集計処理及びプリンタＰの制御部７４が行なう集計データ印字出力処理について図９ないし図１１に基づいて各部の動作とともに説明する。ここで、図９は硬貨Ｃの一括払出集計処理／集計データ印字出力処理の流れを示すフローチャート、図１０は硬貨Ｃの一括払出／計数処理の流れを示すフローチャート、図１１はプリンタＰにより印字出力された集計結果票を示す正面図である。
【００５６】
図９に示すように、まず、硬貨入出金装置１の制御部６４は、硬貨Ｃの一括払出／計数処理を行なう（ステップＳ１）。この処理は、具体的には、図１０に示すように、まず、回収袋１０１の装置本体２への取り付けの有無を検出する（ステップＳ１１）。回収袋１０１が取り付けられていない場合は、回収袋１０１が取り付けられるまで待機する（ステップＳ１１のＮ）。
【００５７】
オペレータにより回収袋１０１が装置本体２の回収袋取付部５に差し込まれて、回収袋１０１によりマイクロスイッチ６１が押され（図６参照）、これにより、回収袋１０１が装置本体２に取り付けられたと判断した場合は（ステップＳ１１のＹ）、回収キー６３ａが押下されるまで待機する（ステップＳ１２のＮ）。回収キー６３ａが押下され硬貨Ｃの一括払出が宣言されたと判断した場合には（ステップＳ１２のＹ）、払出ベルト３５を駆動して装置本体２に収納されている全金種の全硬貨Ｃを払い出し、その払い出される硬貨Ｃの枚数を計数する（ステップＳ１３）。ここで、硬貨Ｃの枚数の計数は、各金種毎の払出センサ４０が計数した枚数をそれらの払出センサ４０に対応する金種の硬貨Ｃの枚数として集計し、集計した硬貨Ｃの金種毎の枚数をＲＡＭ６４ｃに記憶させることにより行なわれる。ここに、宣言手段によって硬貨Ｃの一括払出が宣言された場合、収納されている全ての硬貨Ｃを払い出させる一括払出手段の機能と、一括払出手段によって払い出される硬貨Ｃの数を金種毎に計数する計数手段の機能とが実行される。なお、このときの硬貨Ｃの払い出しは、全金種を同時に払い出してもよいし、一つの金種を払い出した後に別の金種を払い出すというように金種毎に順番に払い出しても良い。
【００５８】
このとき、回収袋１０１が装置本体２に取付けられることにより経路切替部材５７が払出位置から回収位置へ回動され、回収経路５２が回収袋１０１に連通する。これにより、払出ベルト３５により送り出される硬貨Ｃは、硬貨案内孔５５によって形成された回収経路５２に沿って落下し、回収袋１０１に収納される。
【００５９】
このような硬貨Ｃの一括払出／計数処理を実行した後、その処理において計数した硬貨Ｃの金種毎の枚数に基づいて、一括払い出しをした硬貨Ｃ、つまり、装置本体２に収納されていた硬貨Ｃの金種毎の小計金額と、それらの金種毎の小計金額を合計した全硬貨Ｃの合計金額とを集計し、集計したそれらの金額をＲＡＭ６４ｃに記憶させる（ステップＳ２）。ここに、一括払出手段によって払い出された硬貨Ｃの合計金額を計数手段が計数した金種毎の硬貨Ｃの数に基づいて取得する合計金額取得手段の機能が実行される。
【００６０】
次に、ステップＳ１において計数しＲＡＭ６４ｃに記憶させた一括払出硬貨Ｃの各金種毎の枚数と、ステップＳ２において集計しＲＡＭ６４ｃに記憶させた一括払出硬貨Ｃの金種別小計金額及びそれらの合計金額とを、一括払出硬貨データとして印字コマンドに含めて、その印字コマンドをプリンタＰに送信（出力）する（ステップＳ３）。ここで、一括払出硬貨データのうちの一括払出硬貨Ｃの各金種毎の枚数と、それらの硬貨の合計金額とは、計数手段が計数した結果に係わる計数データとされている。なお、ここでは、計数データとしてそれらの２つを示したが、計数データとしては、どちらか一方であってもよい。ここに、計数した結果に係わる計数データを出力する第一の出力手段の機能が実行される。
【００６１】
一方、プリンタＰにおいては、硬貨入出金装置１からの印字コマンドを受信した場合は（ステップＳ２１のＹ）、その印字コマンドに含まれている一括払出硬貨データに基づいて、図１１に示すように、用紙８１に、一括払出硬貨Ｃの金種毎の枚数８２、一括払出硬貨Ｃの金種毎の小計金額８３、一括払出硬貨Ｃの合計金額８４を印字出力してその用紙８１を集計結果票８５として発行する。
【００６２】
以上説明したように、本実施の形態では、宣言手段である回収キー６３ａによって硬貨Ｃの一括払出が宣言された場合、装置本体２に収納されている全ての硬貨Ｃが払い出され、このとき、硬貨Ｃの数が金種毎に計数され、その計数結果に係わる計数データとして一括払出硬貨Ｃの金種毎の枚数８２がプリンタＰによって用紙８１に印字出力されるので、精算業務における硬貨Ｃの計数作業において、従来のように硬貨Ｃを計数するために硬貨入出金装置とは別の専用の装置を用いる必要がなく、また、店員が手作業で硬貨Ｃを計数する必要が無いので店員の負担を軽減することができる。
【００６３】
また、従来の硬貨入出金装置では例えば硬貨払出口を装置本体から取り外しその硬貨払出口が取り付けられていた部位に硬貨の回収部材を取り付けなければならず硬貨の回収作業が面倒であるのに比べて、本実施の形態では、回収袋１０１を装置本体２のハウジング２ｄに取り付けるだけで、回収経路５２が回収袋１０１に連通され、払い出される硬貨Ｃが回収袋１０１に落下するようになり、硬貨払出口を取り外す作業が不要であるので、硬貨入出金装置１のハウジング２ｄ内に収納されている回収する際の作業を容易化することができる。
【００６４】
なお、本実施の形態では、硬貨Ｃの一括払出／計数処理において、回収袋１０１が装置本体２に取り付けられ（ステップＳ１１のＹ）、その後に回収キー６３ａの押下があった場合に（ステップＳ１２のＹ）、装置本体２に収納されている全金種の全硬貨Ｃを払い出し、その払い出される硬貨Ｃの枚数を計数する例を説明したが、これに限るものではなく、回収袋１０１が装置本体２に取り付けられていない場合でも、回収キー６３ａの押下があった場合には、装置本体２に収納されている全金種の全硬貨Ｃを硬貨払出口４に払い出し、このときに、その払い出させる硬貨Ｃの枚数を計数してよい。
【００６５】
また、本実施の形態では、硬貨Ｃの一括払出を宣言する宣言手段として、押下されることにより硬貨Ｃの一括払出処理の開始を宣言する宣言信号を制御部６４に出力する回収キー６３ａを例に説明したが、宣言手段としては、これに限るものではなく、例えば、経路切替部材５７に押されることにより回収袋１０１が装置本体２に取り付けられたことを検出し、その検出信号を制御部６４に出力するマイクロスイッチ６１であってもよい。この場合には、回収袋１０１が装置本体２に取り付けられることにより、全硬貨Ｃの一括払出が行なわれる。
【００６６】
また、本実施の形態では、プリンタＰを硬貨入出金装置１に対して別体で設けた例を説明したが、これに限るものではなく、プリンタＰは硬貨入出金装置１に内蔵されていてもよい。
【００６７】
このように本実施の形態においては、前記一括払出手段によって払い出された硬貨の合計金額を前記計数手段が計数した金種毎の硬貨Ｃの数に基づいて取得する合計金額取得手段を備え、前記計数データは、前記合計金額取得手段が取得した硬貨Ｃの前記合計金額を含むことにより、一括払出された硬貨Ｃの合計金額８４がプリンタＰによって用紙８１に印字出力されるので、店員が合計金額を算出する必要がなく、店員が合計金額を算出する場合に比べて店員の負担を軽減することができる。
【００６８】
また、本実施の形態においては、第一の出力手段は、計数データ（本実施の形態では、一括払出硬貨の金種毎の枚数８２、一括払出硬貨の合計金額８４）をプリンタＰに送信し、計数データをプリンタＰによって用紙８１に印字出力させることにより、計数データが用紙８１に印字されるので、その用紙８１を保存することにより計数データを保存することができ、また、その用紙８１を持ち運ぶことにより計数データを持ち運ぶことができ、計数データの取り扱いが便利になる。
【００６９】
次に、本発明の第二の実施の形態を図１２ないし図１５に基づいて説明する。なお、前述した第一の実施の形態と同じ部分は同一符号で示し説明も省略する。ここで、図１２は本実施の形態の硬貨入出金システムを示す斜視図、図１３はＰＯＳ端末に内蔵される各部の電気的接続を示すブロック図である。
【００７０】
図１２に示すように、本実施の形態の硬貨入出金システム２００は、商品販売データ処理装置であるＰＯＳ端末３０１に、硬貨入出金装置１と紙幣ドロワ３０２とが接続されて構成されている。
【００７１】
ＰＯＳ端末３０１は、硬貨入出金装置１及び紙幣ドロワ３０２上に載置されている。ＰＯＳ端末３０１には、各種のキーが集合したキーボード３０３、図示しない鍵によってＰＯＳ端末３０１の動作モードを登録モード・設定モード・精算モード・点検モード等の各業務モードに切り替え設定するためのコントロールキー３０４、レシートプリンタであるレシート／ジャーナルプリンタ３０５（図１３参照）によって印字されるレシート等を発行するレシート発行口３０６及びジャーナル窓３０７が設けられている。また、ＰＯＳ端末３０１の右側上方には、操作者側の表示部として機能するディスプレイ３０８が配置され、このディスプレイ３０８の近傍には客側の表示部として機能する客側ディスプレイ３０９が立設されている。さらに、このＰＯＳ端末３０１には、商品に付される商品コードを光学的に読み取るためのバーコードスキャナ３１０が接続されている。
【００７２】
キーボード３０３には、押下されることにより硬貨Ｃの一括払出処理の開始を宣言する宣言信号を後述する制御部３１１に出力し、これにより、硬貨Ｃの一括払出を宣言する宣言手段として機能する回収キー３０３ａが設けられている。
【００７３】
次に、ＰＯＳ端末３０１に備えられる各部の電気的接続を図１３に基づいて説明する。図１３に示すように、このＰＯＳ端末３０１は、制御部３１１を備えており、この制御部３１１が各部を駆動制御する。制御部３１１は、各部を集中的に制御するＣＰＵ３１２、ＣＰＵ３１２を動作させる制御プログラム等の固定的情報を予め格納するＲＯＭ３１３、各種情報を書き換え自在に格納するワークエリアとして機能するＲＡＭ３１４等により構成されている。このような制御部３１１には、キーボード３０３、ディスプレイ３０８，３０９、レシート／ジャーナルプリンタ３０５、硬貨入出金装置１との通信を司るインターフェース（Ｉ／Ｆ）３１５などが接続されている。このように制御部３１１に接続されている各部は、制御部３１１により駆動制御される。また、この制御部３１１には紙幣ドロワ３０２も接続されており、この制御部３１１が紙幣ドロワ３０２の引出し３０２ａの開閉を制御する。
【００７４】
また、制御部３１１には、ＨＤＤ（Hard Disk Drive）３１６が接続されており、このＨＤＤ３１６には、制御部３１１を動作させる制御プログラムや商品マスタファイル、売上登録に係る売上情報を記憶保持する売上ファイル等が格納されている。
【００７５】
以上のようなＰＯＳ端末３０１における商品の取引に係わる売上処理の際の動作について簡単に説明する。例えば商品に付された商品コードがＰＯＳ端末３０１のバーコードスキャナ３１０によって読み取られると、ＰＯＳ端末３０１は読み取った商品コードに基づいてＲＡＭ３１４に展開された商品マスタファイルを検索し、該当する商品コードに対応した商品名や単価等を読み出す。そして、キーボード３０３を介して入力された数量や、読み取られた商品コード及び検索した商品名や単価等に基づいて売上登録した売上登録データを取引明細としてＲＡＭ３１４の売上バッファに一時的に記憶した後、当該売上登録データの部門別登録やディスプレイ３０８及び客側ディスプレイ３０９への表示等を行う。全ての売り上げ商品についての売上登録が終了した後、締め処理を実行する。締め処理は、小計金額、消費税額、合計金額、預り金額、釣り銭額で構成される会計金額を取引明細としてＲＡＭ３１４の売上バッファに一時的に記憶するとともにレシート／ジャーナルプリンタ３０５によるレシート用紙への印字出力や紙幣ドロワ３０２の引出し３０２ａの開放や硬貨入出金装置１への釣り銭の払い出し指令の送信を行った後、取引明細（売上登録した売上登録データ及び会計金額）をＨＤＤ３１６にジャーナルデータとして記憶する等の処理である。このような処理によって、レシート／ジャーナルプリンタ３０５により取引に係わるレシートがレシート発行口３０６から発行される。
【００７６】
次に、本硬貨入出金システム２００において実行される硬貨Ｃの一括払出集計処理／集計データ印字出力処理を図１４に基づいて説明する。ここで、図１４は硬貨の一括払出集計処理／集計データ印字出力処理の流れを示すフローチャートである。この一括払出集計処理／集計データ印字出力処理は、ＰＯＳ端末３０１の動作モードが精算モードに設定されているときに行なわれる。
【００７７】
図１４に示すように、まず、ＰＯＳ端末３０１の制御部３１１は、回収キー３０３ａが押下されるまで待機する（ステップＳ３１のＮ）。回収キー３０３ａが押下され硬貨Ｃの一括払出が宣言されたと判断した場合には（ステップＳ３１のＹ）、硬貨入出金装置１に対して一括払出コマンドを送信する（ステップＳ３２）。その後、硬貨入出金装置１からの払出枚数データの受信まで待機する（ステップＳ３３Ｎ）。
【００７８】
一方、硬貨入出金装置１の制御部６４は、ＰＯＳ端末３０１からの一括払出コマンドを受信したと判断した場合は（ステップＳ４０のＹ）、払出ベルト３５を駆動して装置本体２に収納されている全金種の全硬貨Ｃを払い出し、その払い出させる硬貨Ｃの枚数を計数する（ステップＳ４１）。ここで、硬貨Ｃの枚数の計数は、各金種毎の払出センサ４０が計数した枚数をそれらの払出センサ４０に対応する金種の硬貨Ｃの枚数として集計し、集計した硬貨Ｃの金種毎の枚数をＲＡＭ６４ｃに記憶させることにより行なわれる。ここに、宣言手段によって硬貨Ｃの一括払出が宣言された場合、硬貨入出金装置１に収納されている全ての硬貨Ｃを払い出させる一括払出手段の機能と、一括払出手段によって払い出される硬貨Ｃの数を金種毎に計数する計数手段の機能とが実行される。
【００７９】
このとき、回収袋１０１が硬貨入出金装置１の装置本体２に取付けられている場合には、払い出される全ての硬貨Ｃが回収袋１０１に収納される。
【００８０】
その後、硬貨入出金装置１では、ステップＳ４１において計数した計数データである硬貨Ｃの金種毎の枚数を、払出枚数データとしてＰＯＳ端末３０１に対して送信（出力）する（ステップＳ４２）。ここに、計数手段が計数した結果に係わる計数データを出力する第一の出力手段の機能が実行される。
【００８１】
一方、ＰＯＳ端末３０１においては、硬貨入出金装置１からの払出枚数データを受信した場合は（ステップＳ３３のＹ）、その受信した払出枚数データに基づいて、一括払い出しされた硬貨Ｃ、つまり、装置本体２に収納されていた硬貨Ｃの金種毎の小計金額と、それらの金種毎の小計金額を合計した全硬貨Ｃの合計金額とを集計し、集計したそれらの金額をＲＡＭ３１４に記憶させる（ステップＳ３４）。ここに、一括払出手段によって払い出された硬貨Ｃの合計金額を計数手段が計数した金種毎の硬貨Ｃの数に基づいて取得する合計金額取得手段の機能が実行される。
【００８２】
その後、ＰＯＳ端末３０１では、図１１に示すように、受信した払出枚数データに基づく硬貨の金種毎の枚数８２と、集計した硬貨Ｃの金種毎の小計金額８３と、それらの金種毎の小計金額を合計した全硬貨Ｃの合計金額８４とを、計数データとして、レシート／ジャーナルプリンタ３０５によって用紙８１に印字出力させ、その用紙８１を集計結果票８５として発行する（ステップＳ３５）。ここで、一括払出硬貨Ｃの各金種毎の枚数８２と、それらの硬貨の合計金額８４とは、計数手段が計数した結果に係わる計数データとされている。ここに、計数手段が計数した結果に係わる計数データをレシート／ジャーナルプリンタ３０５によって用紙８１に印字出力させる第二の出力手段の機能が実行される。なお、ここでは、計数データとして、一括払出硬貨Ｃの各金種毎の枚数８２と、それらの硬貨の合計金額８４とを用紙８１に印字させたが、用紙８１に印字させる計数データとしては、それらのうちのどちらか一方であってもよい。
【００８３】
次に、精算モードにおいて硬貨入出金システム２００が行なう違算金額算出処理について簡単に説明する。硬貨入出金システム２００では、精算時に紙幣ドロワ３０２に収納されていた紙幣の合計金額の入力を、オペレータの操作によるキーボード３０３のキー入力により受け付ける。そして、キー入力された紙幣の合計金額と、前述した硬貨Ｃの一括払出集計処理／集計データ印字出力処理において集計した硬貨入出金装置１内に収納されていた硬貨Ｃの合計金額と、を合計し貨幣の実際の合計金額（以後、実貨幣合計金額という）を算出する。次に、売上処理での取引明細データなどから算出した紙幣ドロワ３０２と硬貨入出金装置１とに収納されているべき貨幣の貨幣合計金額（理論貨幣合計金額）と、実貨幣合計金額とを比較し、それらの違算金額を算出する。そして、図１５に示すように、レシート／ジャーナルプリンタ３０５によって、用紙８１に、上述した紙幣合計金額８６、硬貨合計金額８７、実貨幣合計金額８８、理論貨幣合計金額８９、違算金額９０を印字出力し、その用紙８１を違算結果票９１として発行する。
【００８４】
このように本実施の形態においては、商品の取引に係わる売上処理を実行しその取引に係わるレシートをレシートプリンタであるレシート／ジャーナルプリンタ３０５によって発行する商品販売データ処理装置であるＰＯＳ端末３０１と、入金された硬貨Ｃを金種別に選別収納し、収納した硬貨ＣをＰＯＳ端末３０１からの払い出し指令に基づいて払い出す硬貨入出金装置１と、を備える硬貨入出金システム２００において、硬貨Ｃの一括払出を宣言する宣言手段と、宣言手段によって硬貨Ｃの一括払出が宣言された場合、硬貨入出金装置１に収納されている全ての硬貨Ｃを払い出させる一括払出手段と、一括払出手段によって払い出される硬貨Ｃの数を金種毎に計数する計数手段と、計数手段が計数した結果に係わる計数データ（例えば、一括払出硬貨の金種毎の枚数８２）を出力する第二の出力手段と、を備えることにより、計数データである一括払出された硬貨Ｃの枚数８２がＰＯＳ端末３０１のレシート／ジャーナルプリンタ３０５によって印字出力されるので、精算業務における硬貨Ｃの計数作業において、従来のように硬貨Ｃを計数するために硬貨入出金装置とは別の専用の装置を用いる必要がなく、また、店員が手作業で硬貨Ｃを計数する必要が無いので店員の負担を軽減することができる。
【００８５】
また、本実施の形態においては、一括払出手段によって払い出された硬貨Ｃの合計金額を計数手段が計数した金種毎の硬貨Ｃの数に基づいて取得する合計金額取得手段を備え、計数データは、合計金額取得手段が取得した硬貨Ｃの合計金額を含むことにより、一括払出された硬貨Ｃの合計金額８４がレシート／ジャーナルプリンタ３０５によって印字出力されるので、店員が合計金額を算出する必要がなく、店員が合計金額を算出する場合に比べて店員の負担を軽減することができる。
【００８６】
また、本実施の形態においては、第二の出力手段は、計数データ（例えば、一括払出硬貨の金種毎の枚数８２）をレシートプリンタであるレシート／ジャーナルプリンタ３０５に送信し、計数データをレシート／ジャーナルプリンタ３０５によって用紙８１に印字出力させることにより、計数データを出力するために特別にプリンタを設ける必要がなく、経済的である。
【００８７】
【発明の効果】
本発明によれば、宣言手段によって硬貨の一括払出が宣言された場合、収納されている全ての硬貨が一括払い出し手段によって払い出され、このとき、計数手段によって硬貨の数が計数され、その計数結果に係わる計数データ（前記計数手段が計数した金種毎の硬貨の数、又は、前記計数手段が計数した金種毎の硬貨の数に基づいたそれらの硬貨の合計金額）が第一の出力手段によって出力されるので、精算業務における硬貨の計数作業において、硬貨を計数するために硬貨入出金装置とは別の専用の装置を用いる必要がなく、また、店員が手作業で硬貨を計数する必要が無いので店員の負担を軽減することができる。
【図面の簡単な説明】
【図１】本発明の第一の実施の形態の硬貨入出金装置をプリンタとともに示す斜視図である。
【図２】回収袋が装置本体に取り付けられた状態の硬貨入出金装置を示す斜視図である。
【図３】設置台上に設置され入出金機構ユニットがユニット保持ケースから引き出された状態の硬貨入出金装置を示す側面図である。
【図４】入出金機構ユニットの内部構造を示す平面図である。
【図５】入出金機構ユニットの内部構造を示す縦断側面図である。
【図６】回収袋が取付部に取り付けられた状態の入出金機構ユニットの内部構造を示す縦断側面図である。
【図７】硬貨入出金装置に内蔵される各部の電気的接続を示すブロック図である。
【図８】プリンタに内蔵される各部の電気的接続を示すブロック図である。
【図９】硬貨の一括払出集計処理／集計データ印字出力処理の流れを示すフローチャートである。
【図１０】硬貨の一括払出／計数処理の流れを示すフローチャートである。
【図１１】プリンタにより印字出力された集計結果票を示す正面図である。
【図１２】本発明の第二の実施の形態の硬貨入出金システムを示す斜視図である。
【図１３】ＰＯＳ端末に内蔵される各部の電気的接続を示すブロック図である。
【図１４】硬貨の一括払出集計処理／集計データ印字出力処理の流れを示すフローチャートである。
【図１５】レシート／ジャーナルプリンタにより印字出力された違算結果票を示す正面図である。
【符号の説明】
１…硬貨入出金装置、６３ａ…回収キー（宣言手段）、８１…用紙、２００…硬貨入出金システム、３０１…ＰＯＳ端末（商品販売データ処理装置）、３０３ａ…回収キー（宣言手段）、３０５…レシート／ジャーナルプリンタ（レシートプリンタ）、Ｃ…硬貨、Ｐ…プリンタ、ステップＳ２…合計金額取得手段、ステップＳ３…第一の出力手段、ステップＳ１３…一括払出手段、計数手段、ステップＳ３４…合計金額取得手段、ステップＳ３５…第二の出力手段、ステップＳ４１…一括払出手段、計数手段、ステップＳ４２…第一の出力手段
【図１】
2004206160.tif 000003
【図２】
2004206160.tif 000004
【図３】
2004206160.tif 000005
【図４】
2004206160.tif 000006
【図５】
2004206160.tif 000007
【図６】
2004206160.tif 000008
【図７】
2004206160.tif 000009
【図８】
2004206160.tif 000010
【図９】
2004206160.tif 000011
【図１０】
2004206160.tif 000012
【図１１】
2004206160.tif 000013
【図１２】
2004206160.tif 000014
【図１３】
2004206160.tif 000015
【図１４】
2004206160.tif 000016
【図１５】
2004206160.tif 000017